(57)【要約】【課題】自宅で居ながらにして生ごみを即時処理したうえ質の良い製品堆肥のできる機器は従来からなかった。生ごみの排出源となる家庭の段階で、高品質堆肥の原料としての利活用並びに確実な減量方法となる家庭用生ごみ堆肥製造装置を得る。    【解決手段】製造装置の主体である縦型醗酵槽１、醗酵を助長する調整部位４、好適醗酵条件を創出する段ボール18、堆肥の質的向上を担う醗酵促進基材9を用い、すべて環境負荷を避けた自然思考のエコによる。【選択図】図1
2011116572.tif 000002
【特許請求の範囲】
【請求項１】
縦型で円筒形、有底上部開口壁面多口仕様の骨組みで作られた醗酵槽本体は、外壁の全面に段ボール、一部にはパネルヒータを巻き付ける。該槽中心部の回転軸には攪拌棒及びオガーを取り付ける。極力電気機器の使用を避け段ボールによるエコな方法で好適醗酵条件を得ることを特徴とする家庭用高品質生ごみ堆肥製造装置。
【請求項２】
前記の回転軸と連結する駆動モータ並びに製品堆肥を繰返し醗酵槽にリターンする堆肥の貯留庫を内蔵するモータ室フレームの請求項1記載の家庭用高品質生ごみ堆肥製造装置。
【請求項３】
前記請求項1記載の醗酵槽外壁面全体を包み込み、段ボールによる醗酵調整部位を取り付けた請求項1記載の家庭用高品質生ごみ堆肥製造装置。
【請求項４】
前記請求項1の醗酵槽に投入する生ごみの醗酵促進と高品質堆肥の製造にとって不可欠な醗酵促進基材並びにその製造方法。
【発明の詳細な説明】
【技術分野】
【０００１】
本発明は、生ごみから高品質堆肥の製造機能を備えた、家庭用生ごみ堆肥製造装置並びに該装置に用いる醗酵促進基材及びその製造方法に関するものである。
【背景技術】
【０００２】
家庭から排出される生ごみは、自治体が収集、運搬、処理する。ごみ減量化のための補助施策を講じているがその効果は必ずしも上がっていない。その背景には、従来のバイオ式生ごみ処理機により生産される生成物は、堆肥としては低品質で畑を保有する家庭で作られその家庭で自家消費するという一部の家庭に過ぎない。生産した堆肥の利用に困るという点が最大の減量化の阻害点となっている。
【０００３】
また、従来のバイオ式生ごみ処理機からの生成物を堆肥として利用するときは、土と混ぜて数週間から数ヶ月熟成しなければならない手間とそのための保管場所が必要となる。畑を保有しない家庭にあっては、自家消費できないことから生ごみ処理機による減量化はできないという問題点があった。
【０００４】
しかし、家庭生ごみの量を極力減量化することは、自治体が行う収集、運搬、処理経費の節減、運搬車などから排出されるＣＯ２削減、一人暮らし高齢者家庭の厄介なごみ出しから開放され身近な生活環境の改善となる利点があるが、実行する家庭が少なくその効果は極めて低い。これは、従来の生ごみ処理機に依存してきた点に問題があった。
【０００５】
この改善策として、生ごみから品質の良い堆肥のできる装置の発明にある。図１は、この方法による説明図であって,縦型断面図である。図１で、１は醗酵槽、１８、４は段ボール、１４は堆肥貯蔵庫。しかしながらこの方法でも装置の機能だけでは高品質堆肥の生産は不安定となる。９醗酵促進基材により大きな成果が得られる。
【先行技術文献】
【特許文献】
【０００６】
【特許文献１】特開２００４−１２３４５５号公報
【発明の概要】
【発明が解決しようとする課題】
【０００７】
解決しようとする問題点は、従来のバイオ式生ごみ処理機は、生ごみの一次処理生成物が生産され、高品質な製品堆肥の製造はできない点にある。
【課題を解決するための手段】
【０００８】
本発明は、家庭に居ながらにして生ごみを処理し、これから高品質堆肥が製造できることを最も主要な特徴とする。
【発明の効果】
【０００９】
本発明の家庭用高品質生ごみ堆肥製造装置は、生ごみを該装置に投入することで即時に自宅で処理することができるほか、装置内では自然に高品質の堆肥が製造できる。生産された堆肥は形状が微細で均一、豊富な肥料分、低塩分、熟成した良品質であることから、ＮＰＯなどによって生産堆肥が有償で引き取られる。家庭においては安心して生産できるという利点がある。このため従来のように畑地保有家庭に限らず多くの家庭が実施できるようになった。このことにより、生ごみの減量化率は高まり、家庭における温暖化防止ＣＯ2削減の新たな方法となる。
【図面の簡単な説明】
【００１０】
【図１】図１は家庭用高品質生ごみ堆肥製造装置の縦断面を示した説明図である。
【発明を実施するための形態】
【００１１】
徹底した低ランニングコストの仕様による経済性、少ない消費電力によるエコ、操作の安全性、段ボール及び醗酵促進基材の自然思考、エコな好適醗酵条件づくり、システムキッチンに設置が可能など生ごみから高品質堆肥の製造という目的が達成されて、新たな生活必需品と位置付けて実現した。          
【実施例】
【００１２】
図１は、本発明装置の１実施例の縦断面図である。該装置は、７は醗酵槽外箱、２４はモータ室外箱と大きく2つに分離した仕様である。
【００１３】
醗酵槽１は、縦方向に設ける。中心軸５に攪拌棒10及びオガー11を取り付け、駆動モータ２に連結して回転作動する。攪拌棒は醗酵槽の上、中、下の３箇所の位置に、オガーは上部3分の2の域にそれぞれ中心軸に取り付ける。
【００１４】
本発明は２つの特徴がある。その一つは段ボールの活用にある。段ボール自体が生ごみの醗酵に必要な好適条件を作り出し、環境に負荷のない方法である。段ボールは、醗酵槽の壁面骨組みの外側１８に貼り付けたものと、醗酵槽本体と醗酵槽外箱７との隙間にある調整部位4に用いる。
【００１５】
２つ目の特徴は、自然思考から作り出された安価で環境にやさしい醗酵促進基材である。醗酵促進基材９は、醗酵槽１に充填し、生ごみの分解を促進し、高品質堆肥の製造には不可欠な基材である。このため、該装置に適する品質性能及び使い勝手良く低廉な基材であることを本発明の特徴とした。
【００１６】
この基材9は、含水率45〜60％、形状５ｍｍ以下均一、肥料3要素含有、夾雑物の混入がなく、バークを主体とする畜産系由来の熟成堆肥を主原料、籾殻薫炭を副原料として、容量比3対1の割合で混合して醗酵促進基材が得られる。この基材中には主原料の熟成堆肥の生産工程で活動した好気性醗酵菌が豊富に残存していることから、新たに醗酵菌を使用する必要はなく経済的である。
【００１７】
さらに、堆肥貯留庫に蓄積された堆肥は、生ごみ投入口に戻して醗酵槽内を何回もリターンすることにより、基材の有効活用ができるとともに、醗酵槽にある基材全体の熟成度が高まり、より一層良質堆肥の製造に役立つ。
【産業上の利用可能性】
【００１８】
自治体は、家庭生ごみの収集、運搬、処分に多額の費用をかけており、近年は財政悪化などにより家庭に経費の一部負担を課す「ごみ袋の有料化」を実施しながら、減量化施策を強化している。しかし、家庭が安心して減量化に取り組むことができる環境整備が遅れていることから、その実効性は極めて低い現状にある。該装置の発明は、減量化に関わる環境整備の一環として家庭のニーズに対応したものである。単に装置の提供のみならず家庭をサポートするサービスを付加した減量化の新手法である。即ち地域にNPOを設立して、使わない家庭の堆肥の有償引き取りなど、家庭にメリットのある減量方法の提案を該装置の発明により実現した。この減量化により地球温暖化防止ＣＯ2削減に大きく貢献する。
【符号の説明】
【００１９】
１    醗酵槽                       １１    オガー                      ２１    落下量調整弁
２    駆動モータ                  １２    堆肥熟成域                ２２    開閉ドア
３    ボルト                        １３    醗酵域                      ２３    キャスター
４    調整部位段ボール         １４    堆肥貯留庫                ２４    モータ室外箱
５    中心軸                       １５    堆肥                         ２５    防虫網
６    モータ室フレーム           
１６    タイマー                     ２６    空気排出口
７    醗酵槽外箱                 １７    停止ボタン                  ２７    中心軸支柱
８    生ごみ                       １８    外壁面段ボール          
２８    中蓋
９    醗酵促進基材              １９    縦型円筒形骨組み        ２９    蝶番          
１０  攪拌棒                       ２０    堆肥落下口                
３０    上蓋 
【図１】
2011116572.tif 000003